(57)【要約】【課題】コードレス電話装置の利便性を一層向上させる。【解決手段】カメラ５を搭載したカメラ搭載子機１と、カメラ搭載子機１から送信されるカメラ５による撮像画像のデータを無線にて受信し前記撮像画像を表示部１４に表示する親機１０とを備える。これにより、任意場所にカメラ搭載子機１を設置することで、親機１０の表示部１４をモニタ代わりとしてカメラ搭載子機１の設置場所の映像を見ることができ、コードレス電話装置の利便性が一層向上する。【選択図】　図１
2004112444.tif 000002
【特許請求の範囲】
【請求項１】
カメラを搭載したカメラ搭載子機と、前記カメラ搭載子機から送信される前記カメラによる撮像画像のデータを無線にて受信し前記撮像画像を表示部に表示する親機とを備えたコードレス電話装置。
【請求項２】
カメラを搭載したカメラ搭載子機と、前記カメラ搭載子機から送信される前記カメラによる撮像画像のデータを無線にて受信し前記撮像画像を表示部に表示する別子機と、前記カメラ搭載子機と前記別子機とを登録した親機とを備えたことを特徴とするコードレス電話装置。
【請求項３】
カメラを搭載したカメラ搭載子機と、前記カメラ搭載子機から送信される前記カメラによる撮像画像のデータを無線にて受信し電話回線網及び携帯電話基地局を介し携帯電話機に接続して前記撮像画像のデータを送信し前記携帯電話機の表示部に前記撮像画像を表示させる親機とを備えたことを特徴とするコードレス電話装置。
【請求項４】
前記カメラ搭載子機には、受信した操作指令信号によってカメラ操作を行い操作後のカメラによって撮像された前記撮像画像のデータを送信する機能が設けられたことを特徴とする請求項１乃至請求項３のいずれかに記載のコードレス電話装置。
【請求項５】
前記カメラ搭載子機には、予め設定された時刻及びインターバルで前記カメラによる撮像動作を自動的に行い、得られた撮像画像を自動送信する機能が設けられたことを特徴とする請求項１乃至請求項５のいずれかに記載のコードレス電話装置。
【発明の詳細な説明】
【０００１】
【発明の属する技術分野】
本発明は子機が無線によって親機に接続されたコードレス電話装置に係り、特に、カメラを搭載した子機を有するコードレス電話装置に関する。
【０００２】
【従来の技術】
コードレス電話装置の利用範囲が広がり、例えば特開平１１―４４８０号公報（特許文献１）記載の従来技術では、利用者の不在中に来訪者があったとき、カメラ付ドアホンがコードレス電話機の子機を呼び出して来訪者のカメラ映像を子機に転送して子機の表示部に表示させると共に、ドアホンと子機との間の双方向音声通話を可能としている。
【０００３】
また、特開２００２―１５７６６９号公報（特許文献２）記載の従来技術では、コードレス電話装置の基地局を列車の天井部に設け、緊急事態が発生したとき乗客が所持するパーソナルハンディホンシステムの電話機からの通報を受け、基地局が内蔵するカメラによって通報場所の状況を撮像する様になっている。
【０００４】
【特許文献１】
特開平１１―４４８０号公報
【特許文献２】
特開２００２―１５７６６９号公報
【０００５】
【発明が解決しようとする課題】
上述した各従来技術は、ドアホン側や基地局側にカメラが設けられており、カメラによる撮像場所がドアホン廻りや基地局設置場所廻りに限定されてしまい、カメラ映像の利用範囲が限られてしまうという問題がある。
【０００６】
本発明の目的は、利用者が希望する場所の映像を撮像することができ、その映像を所望の場所で見ることができるコードレス電話機を提供することにある。
【０００７】
【課題を解決するための手段】
上記目的を達成する本発明のコードレス電話装置は、カメラを搭載したカメラ搭載子機と、前記カメラ搭載子機から送信される前記カメラによる撮像画像のデータを無線にて受信し前記撮像画像を表示部に表示する親機とを備えたことを特徴とする。
【０００８】
この構成により、カメラ搭載子機を任意の場所に設置し、この設置場所の映像を親機の表示部をモニタ画面として見ることが可能となり、コードレス電話装置の利便性が向上する。
【０００９】
上記目的を達成する本発明のコードレス電話装置はまた、カメラを搭載したカメラ搭載子機と、前記カメラ搭載子機から送信される前記カメラによる撮像画像のデータを無線にて受信し前記撮像画像を表示部に表示する別子機と、前記カメラ搭載子機と前記別子機とを登録した親機とを備えたことを特徴とする。
【００１０】
この構成により、カメラ搭載子機を任意の場所に設置し、この設置場所の映像を別の子機の表示部をモニタ画面として見ることができるため、モニタ画面の設置場所も自由となり、コードレス電話装置の利便性が向上する。
【００１１】
上記目的を達成する本発明のコードレス電話装置はまた、カメラを搭載したカメラ搭載子機と、前記カメラ搭載子機から送信される前記カメラによる撮像画像のデータを無線にて受信し電話回線網及び携帯電話基地局を介し携帯電話機に接続して前記撮像画像のデータを送信し前記携帯電話機の表示部に前記撮像画像を表示させる親機とを備えたことを特徴とする。
【００１２】
この構成により、カメラ搭載子機を任意の場所に設置し、この設置場所の映像を外出先で所持する携帯電話機の表示部をモニタ画面として見ることができるため、モニタ画面の設置場所の制約が無くなり、コードレス電話装置の利便性が更に向上する。
【００１３】
好適には、上記において、前記カメラ搭載子機には、受信した操作指令信号によってカメラ操作を行い操作後のカメラによって撮像された前記撮像画像のデータを送信する機能が設けられたことを特徴とする。
【００１４】
この構成により、カメラによる撮像画像を見る人がカメラ搭載子機のカメラの操作を自由に行うことが可能となり、パン操作、チルト操作可能なカメラであればこれらの操作や、クローズアップした映像を撮像させることが可能となり、コードレス電話装置の利便性が一層向上する。
【００１５】
更に好適には、前記カメラ搭載子機には、予め設定された時刻及びインターバルで前記カメラによる撮像動作を自動的に行い、得られた撮像画像を自動送信する機能が設けられたことを特徴とする。
【００１６】
この構成により、予め設定した時刻及びインターバルでカメラ映像を自動的にモニタすることができ、コードレス電話装置の利便性が向上する。
【００１７】
【発明の実施の形態】
以下、本発明の実施の形態について図面を参照して説明する。
【００１８】
（第１の実施の形態）
図１は、本発明の第１の実施の形態に係るカメラ搭載子機付きコードレス電話装置の構成図である。このカメラ搭載子機付きコードレス電話装置は、カメラ搭載子機１と、このカメラ搭載子機１との間で無線接続される親機１０とを備える。
【００１９】
カメラ搭載子機１は、アンテナ２と、このアンテナ２を介して親機１０との間で無線接続される無線部３と、ダイヤル操作する押しボタン等の操作部４と、撮像素子や光学レンズ等で構成されるカメラ部５と、カメラ部５に接続されるカメラ画像処理部６と、無線部３と操作部４とカメラ画像処理部６とに接続されこれらを統括制御する制御部７とを備え、制御部７は、本実施の形態では時計機能を内蔵する。
【００２０】
親機１０は、アンテナ１１と、このアンテナ１１を介してカメラ搭載子機１及びその他の図示しない子機と無線接続される無線部１２と、ダイヤル操作する押しボタン等の操作部１３と、液晶等の表示部１４と、この表示部１４に表示する画像を処理する表示画像処理部１５と、自身配下の子機以外の電話機と接続するための回線インタフェース（図面では「Ｉ／Ｆ」と略記する。）部１６と、無線部１２と操作部１３と表示画像処理部１５と回線インタフェース部１６とに接続されこれらを統括制御する制御部１７とを備える。
【００２１】
次に、上述したコードレス電話装置の動作の一例を説明する。この実施の形態では、カメラ搭載子機１のカメラ部５による撮影画像を親機１０に送信し、親機１０の表示部１４に撮影画像を表示する。
【００２２】
今、カメラ搭載子機１を監視カメラとして利用すべく利用者が所望の場所にこのカメラ搭載子機１を設置する。利用者は、カメラ搭載子機１の操作部４を操作して、カメラ部５から撮影画像を取り込む時刻や取り込み時間間隔（インターバル）を制御部７に設定する。
【００２３】
設定時刻が来ると、カメラ搭載子機１はカメラ部５から撮影画像を自動的に取り込み、この撮影画像は、カメラ画像処理部６で圧縮処理される。圧縮された撮影画像データはカメラ画像処理部６から無線部３に送られ、この無線部３で変調されてアンテナ２から親機１０に自動送信される。
【００２４】
親機１０では、カメラ搭載子機１から送られた撮影画像データを自動的に受信して無線部１２で復調し、その受信データを表示画像処理部１５で伸長させ、表示部１４に自動的に表示させる。
【００２５】
親機１０は、操作部１３からのユーザ入力指示に基づき、カメラ搭載子機１を呼び出し、カメラ部５のパン操作、チルト操作あるいはクローズアップ操作を行うことができ、これによって撮像された画像を表示部１４に表示することが可能となる。
【００２６】
この様に、本実施の形態では、カメラ搭載子機１を監視カメラとして任意場所に設置し、親機１０をモニタ装置として監視映像を見ることができるため、コードレス電話装置の利用範囲が広がり、利用者の利便性が向上する。
【００２７】
（第２の実施の形態）
図２は、本発明の第２の実施の形態に係るコードレス電話装置の構成図であり、この実施の形態では、図示しない第１の実施の形態と同じ親機に登録されている子機間でカメラ映像の授受を行う。子機の一台は第１の実施の形態と同じ構成のカメラ搭載子機１であり、他方の子機２０は、カメラは搭載しておらず、液晶などの表示部などを装備する。
【００２８】
子機２０は、カメラ搭載子機１と同様に、アンテナ２と、無線部３と、操作部４と、制御部７とを備え、更に、制御部７と無線部３とに接続された表示画像処理部８と、この表示画像処理部８に接続された表示部９とを備える。
【００２９】
この構成において、カメラ搭載子機１の操作部４を操作して、画像を取り込む時刻や取り込み間隔を制御部７に設定する。設定時刻が来ると、カメラ部５で画像を取り込み、取り込んだ画像は、画像処理部６で圧縮処理され、圧縮された画像データは、無線部３で変調されて他の子機２０に自動送信される。
【００３０】
子機２０では、子機１から送られた画像データを自動的に受信し、無線部３で復調し、画像データを表示画像処理部８で伸長させ、表示部９に自動的に表示させる。また、子機２０の操作部４でカメラ搭載子機１を呼び出し、子機２０の操作部４でカメラ搭載子機１のカメラ部５を動作させる操作を行なう事で、所望のアングルや倍率での撮影画像を子機２０の表示部９に表示させることができる。これにより、無線接続できる範囲内であれば、どこでも、子機２０の表示部９をモニタ代わりとして、カメラの撮影映像を見ることができる。
【００３１】
（第３の実施の形態）
図３は、本発明の第３の実施の形態に係るコードレス電話装置の使用説明図である。本実施の形態に係るコードレス電話装置は、第１の実施の形態に係るコードレス電話装置と同じ構成であり、本実施の形態では、カメラ搭載子機１による撮影画像を、コードレス電話装置とは別の普通の携帯電話機３０で見ることができる様になっている。
【００３２】
このため、親機１０の回線インタフェース部１６は電話回線網２１に接続され、この電話回線網２１に携帯電話基地局２２が接続され、携帯電話基地局２２にはアンテナ２３が接続されている。
【００３３】
携帯電話機３０は、アンテナ３１と、アンテナ３１に接続された無線部３２と、液晶などの表示部３３と、表示部３３に接続された表示画像処理部３４と、操作部３５と、無線部３２と表示画像処理部３４と操作部３５に接続されこれらを統括制御する制御部３６とを備える。
【００３４】
この構成において、カメラ搭載子機１の操作部４を操作して画像を取り込む時刻や取り込み間隔を制御部７に設定する。設定時刻が来ると、カメラ部５による撮影画像を取り込む。取り込まれた画像は、カメラ画像処理部６で圧縮処理され、圧縮された画像データは、無線部３で変調されて親機１０に送信される。
【００３５】
親機１０では、カメラ搭載子機１の撮影画像を監視するモニタとして事前に設定された携帯電話機３０を呼び出すダイヤル発信を自動的に行ない、通話状態を形成する。
【００３６】
通話状態になると、親機１０は自身の無線部１２で復調された画像データを回線インタフェース部１６から電話回線網２１に送り出し、この画像データは、基地局２２経由で携帯電話機３０に送られる。
【００３７】
携帯電話機３０では、無線部３２で復調された画像データを表示画像処理部３４で伸長させ、表示部３３に表示させる。
【００３８】
また、携帯電話機３０の操作部３５を操作して親機１０にダイヤルし、通話状態を形成した後、予め決められた所定のＤＴＭＦ（Ｄｕａｌ　Ｔｏｎｅ　Ｍｕｌｔｉ　Ｆｒｅｑｕｅｎｃｙ）信号を送り、カメラ搭載子機１を呼び出す。そして、携帯電話機３０の操作部３５で子機１のカメラ部５を動作させる操作を行うと、この操作信号がＤＴＭＦ信号として子機１０に送信され、この操作に基づいて撮像された画像が携帯電話機３０の表示部３３にに表される。これにより、外出先であっても携帯電話機を所持していれば、この携帯電話機の表示部３３をモニタ画面としてカメラ撮影画像を見ることができる。
【００３９】
【発明の効果】
本発明によれば、コードレス電話装置の子機にカメラを搭載することにより、親機、他の子機、他の携帯電話機からでも子機の撮像した映像を見ることができ、利便性の高いコードレス電話装置を提供可能となる。
【図面の簡単な説明】
【図１】本発明の第１の実施の形態に係るコードレス電話装置の構成図
【図２】本発明の第２の実施の形態に係るコードレス電話装置の構成図
【図３】本発明の第３の実施の形態に係るコードレス電話装置と携帯電話との接続図
【符号の説明】
１　カメラ搭載子機
３、１２、３２　無線部
４、１３、３５　操作部
５　カメラ部
６　カメラ画像処理部
７、１７、３６　制御部
８、３４　表示画像処理部
９、１４、３３　表示部
１０　親機
３０　携帯電話機
【図１】
2004112444.tif 000003
【図２】
2004112444.tif 000004
【図３】
2004112444.tif 000005